(57)【特許請求の範囲】
【請求項１】
パンツ型の本体と湿潤保持シートとからなり、前記本体が、前胴周り域と後胴周り域とこれら両域間に位置する股下域とを有し、前記湿潤保持シートが、前記本体の胴周り方向へ延びる幅方向とその幅方向と直交する長さ方向とを有し、前記本体の内面に取り付けられて前記長さ方向が前記股下域を中心に前後胴周り域方向へ延在するトレーニングパンツであって、
前記本体が、少なくとも、前記湿潤保持シートとの比較において非親水性である第１不織布と、前記第１不織布外面に重なり合って接合し前記第１不織布を介して前記湿潤保持シートを被覆している非透水性シートとで構成され、
前記湿潤保持シートは、繊維それ自身が親水性である繊維を６０〜１００重量％含む不織布で構成され、前記幅方向と長さ方向とにおいて間欠的に前記内面に接合し、接合していない残余の部分が、前記幅方向の全体に延びて前記内面から浮き上がっている部位を有していることを特徴とする前記パンツ。
【請求項２】
前記湿潤保持シートは、前記幅方向と長さ方向とのうちの少なくとも幅方向において吸水乾燥後に２〜２０％収縮するものである請求項１に記載のパンツ。
【請求項３】
前記本体が、前記非透水性シートの外面を被覆し、かつ、該シートの周縁から延出する部分で前記第１不織布に接合する第２不織布を有している請求項１または２に記載のパンツ。
【請求項４】
前記第１不織布が、前記本体の幅方向およびその幅方向と直交する方向のうちの少なくとも一方向に弾性伸縮性を有し、その伸縮方向のいずれかへの伸長下に前記湿潤保持シートを接合し、そののち前記伸長を解放することにより、前記湿潤保持シートが、前記第１不織布から浮き上がる多数のひだ山部分と、ひだ山部分どうしの間に位置する谷間部分とを有している請求項１〜３のいずれかに記載のパンツ。
【請求項５】
前記第１不織布と第２不織布とのうちの少なくとも前記第１不織布が、捲縮している複合繊維を含み、繊維どうしが機械的に交絡して不織布としての形態を呈している請求項１〜４のいずれかに記載のパンツ。
【請求項６】
前記第１不織布および前記第２不織布のいずれかが、水流交絡法によって得られた不織布である請求項１〜５のいずれかに記載のパンツ。
【請求項７】
前記第１不織布が、繊維それ自身が親水性である繊維を０〜３０重量％含んでいる請求項１〜６のいずれかに記載のパンツ。
【請求項８】
前記前後胴周り域の側縁部どうしが重なり合って接合することにより胴周り開口と一対の脚周り開口とを形成し、前記開口のそれぞれに沿って延びる弾性伸縮部材と、前記股下域において前記一対の脚周り開口間に延在する弾性伸縮部材とを有している請求項１〜７のいずれかに記載のパンツ。
【請求項９】
前記一対の脚周り開口間に延在する弾性伸縮部材が、伸長状態で前記股下域に取り付けられている請求項８に記載のパンツ。
【請求項１０】
前記脚周り開口に沿って延びる弾性伸縮部材が前記本体に間欠的に接合され、前記弾性伸縮部材における接合面積割合が脚周り方向の複数部位において特に高く、残余の部位において相対的に低くなっている請求項８または９に記載のパンツ。
【発明の詳細な説明】
【０００１】
【発明の属する技術分野】
この発明は、トレーニングパンツに関する。
【０００２】
【従来の技術】
特開平５−５９６０１号公報に開示のトレーニングパンツは、透液性内面シートと、不透液性外面シートと、これら両シート間に介在する吸液性コアとからなり、内面シート表面の中央域に湿潤保持シートが間欠的に接合している。この湿潤保持シートは、部分的に内面シートから浮き上がっている。
【０００３】
特開平５−５９６０２号公報に開示のトレーニングパンツは、不織布製の透液性内面シートと、不透液性外面シートと、これら両シート間に介在する吸液性コアとからなり、内面シートの中央域に湿潤感知手段を有する。湿潤感知手段は、繊維密度の高い上層と、繊維密度の低い下層とからなる不織布であって、内面シートの繊維密度は、前記下層の繊維密度よりも高く、湿潤保持シートの濡れ特性が内面シートの濡れ特性よりも高くなっている。
【０００４】
前記いずれの公知例においても、吸液性コアには、フラッフパルプと熱可塑性捲縮繊維とポリマー粉末との混合物が使用されている。
【０００５】
【発明が解決しようとする課題】
前記公知例のトレーニングパンツは、一度使用したのち、洗濯して再使用するということができない。吸液性コアは、吸尿したり洗濯で吸水したりすると、フラッフパルプが著しく変形する他に、ポリマーは粉末状のものから塊状のものに変化し、使用に耐えられないものとなる。一方、トレーニングを積み重ねるにつれて、幼児のもらす尿量が減少すると、前記公知例のような比較的吸尿容量の大きいトレーニングパンツを使い続けることは経済的に無駄になる。
【０００６】
この発明が課題とするところは、トレーニングの後期にある幼児に繰り返し着用させることができる経済的なトレーニングパンツの提供である。
【０００７】
【課題を解決するための手段】
前記課題解決のために、この発明が前提とするのは、パンツ型の本体と湿潤保持シートとからなり、前記本体が、前胴周り域と後胴周り域とこれら両域間に位置する股下域とを有し、前記湿潤保持シートが、前記本体の胴周り方向へ延びる幅方向とその幅方向と直交する長さ方向とを有し、前記本体の内面に取り付けられて前記長さ方向が前記股下域を中心に前後胴周り域方向へ延在するトレーニングパンツである。
【０００８】
かかる前提において、この発明が特徴とするところは、前記本体が、少なくとも、前記湿潤保持シートとの比較において非親水性である第１不織布と、前記第１不織布外面に重なり合って接合し前記第１不織布を介して前記湿潤保持シートを被覆している非透水性シートとで構成され、前記湿潤保持シートは、繊維それ自身が親水性である繊維を６０〜１００重量％含む不織布で構成され、前記幅方向と長さ方向とにおいて間欠的に前記内面に接合し、接合していない残余の部分が、前記幅方向の全体に延びて前記内面から浮き上がっている部位を有していること、にある。
【０００９】
【００１０】
実施態様の他の１つにおいて、前記湿潤保持シートは、前記幅方向と長さ方向とのうちの少なくとも幅方向において吸水乾燥後に２〜２０％収縮するものである。
【００１１】
実施態様の他の１つにおいて、前記本体が、前記非透水性シートの外面を被覆し、かつ、該シートの周縁から延出する部分で前記不織布に接合する第２不織布を有している。
【００１２】
実施態様の他の１つにおいて、前記第１不織布が、前記本体の幅方向およびその幅方向と直交する方向のうちの少なくとも一方向に弾性伸縮性を有し、その伸縮方向のいずれかへの伸長下に前記湿潤保持シートを接合し、そののち前記伸長を解放することにより、前記湿潤保持シートが、前記第１不織布から浮き上がる多数のひだ山部分と、ひだ山部分どうしの間に位置する谷間部分とを有している。
【００１３】
実施態様の他の１つにおいて、前記第１不織布と第２不織布とのうちの、少なくとも前記第１不織布が、捲縮している複合繊維を含み、繊維どうしが機械的に交絡して不織布としての形態を呈している。
【００１４】
実施態様の他の１つにおいて、前記第１不織布および前記第２不織布のいずれかが、水流交絡法によって得られた不織布である。
【００１５】
実施態様の他の１つにおいて、前記第１不織布が、繊維それ自身が親水性である繊維を０〜３０重量％含んでいる。
【００１６】
実施態様の他の１つにおいて、この発明に係るパンツは、前記前後胴周り域の側縁部どうしが重なり合って接合することにより胴周り開口と一対の脚周り開口とを形成し、前記開口のそれぞれに沿って延びる弾性伸縮部材と、前記股下域において前記一対の脚周り開口間に延在する弾性伸縮部材とを有している。
【００１７】
実施態様の他の１つにおいて、前記一対の脚周り開口間に延在する弾性伸縮部材が、伸長状態で前記股下域に取り付けられている。
【００１８】
実施態様のさらに他の１つにおいて、前記脚周り開口に沿って延びる弾性伸縮部材が前記本体に間欠的に接合され、前記弾性伸縮部材における接合面積割合が脚周り方向の複数部位において特に高く、残余の部位において相対的に低くなっている。
【００１９】
【発明の実施の形態】
添付の図面を参照して、この発明に係るトレーニングパンツの詳細を説明すると、以下のとおりである。
【００２０】
図１に斜視図で示されたトレーニングパンツは、パンツ型を呈する本体１と、本体１の内面に取り付けられた湿潤保持シート２とからなる。本体１は、前胴周り域６と、後胴周り域７と、これら両域６，７間に位置する股下域８とを有し、前後胴周り域６，７がパンツの側部で合掌状に重なり合い、上下方向へ間欠的に並ぶ部位９で互いに接合することにより、胴周り開口１１と、一対の脚周り開口１２とを形成している。胴周り開口１１の周縁部分には、胴周り弾性部材１６が延在し、図にはこれが破線で示されている。脚周り開口１２それぞれの周縁部分には、パンツ前側において脚周り開口１２をほぼ半周する第１脚周り弾性部材１７Ａと、パンツ後側において開口１２をほぼ半周する第２脚周り弾性部材１７Ｂとを有する。一方の脚周り開口１２における脚周り弾性部材１７Ａと１７Ｂとは、股下域８において交差したのち互いに離間してもう一方の脚周り開口１２にまで延び、再び股下域８において交差したのち、さらに第１脚周り弾性部材１７Ａはパンツの前側において、また第２脚周り弾性部材１７Ｂはパンツの後側において脚周りをほぼ半周している。図において、第１，２脚周り弾性部材１７Ａ，１７Ｂが両脚周り開口１２間に延在する部分は、参照符号１８Ａ，１８Ｂで示されている。
【００２１】
図２，３，４は、図１のパンツを接合部位９において前後に剥離し、扁平に伸展したときの部分破断図と、図２のＩＩＩ−ＩＩＩ線切断面およびＩＶ−ＩＶ線切断面の部分図である。本体１は、非親水性の内面シート２１と、非親水性または親水性の外面シート２２と、これら両シート２１，２２間に介在する非透水性の中間シート２３とを有する。胴周り弾性部材１６は、外面シート２２と、中間シート２３との間に位置し、これら両シート２２，２３の少なくとも一方に伸長状態で接合している。第１，２脚周り弾性部材１７Ａ，１７Ｂは、外面シート２２と中間シート２３との間に位置し、全長のうちの少なくとも脚周り開口１２に沿って延びる部分が、それらシート２２，２３の少なくとも一方に伸長状態で接合している。第１，２弾性部材１７Ａと１７Ｂとのうちの両脚周り開口１２間に延在する部分１８Ａ，１８Ｂは、伸長されている場合と伸長されていない場合とがあり、また、外面シート２２と中間シート２３との少なくとも一方に接合している場合と、いずれにも接合していない場合とがある。
【００２２】
湿潤保持シート２は、内面シート２１よりも高い親水性を有し、尿を吸収して、保持することができる。このシート２の平面形状に格別の制約はないが、図示例のように実質的な矩形であることが好ましい。図示の湿潤保持シート２は、本体１の幅方向へ延びる両端縁部２７と、その幅方向と交差し、股下域８を中心に前後胴周り域６，７方向へ延びる両側縁部２６とを有し、それら幅方向と、それに交差する方向とに間欠的に塗布されたホットメルト接着剤等の耐水性接着剤２８を介して内面シート２１に部分的に接合している。図の接着剤２８は、本体１の幅方向へ延びる互いに平行な多数の仮想線Ａ，Ｂ，Ｃ……Ｈ上において間欠的に塗布されている。
【００２３】
図３，４に示されるように、かかる湿潤保持シート２では、非接合部分が部分的に内面シート２１から浮き上がり、本体１の幅方向と交差して概ね前後方向へ延びる多数のひだ山３１を形成している。また、隣り合う仮想線Ａ，Ｂ，Ｃ……Ｈどうしの間では、保持シート２が内面シート２１から上方へ離間可能であり、離間したときには、保持シート２と内面シート２１との間に保持シート２を横断する空隙３２が生じる。このような形態の湿潤保持シート２のひだ山３１を得るには、本体１の幅方向に弾性伸縮性を有する内面シート２１が幅方向へ伸長された状態にあるときに保持シート２を接合し、その後に内面シート２１を収縮させればよい。また、空隙３２を得るには、図２のように接着剤２８が塗布されている内面シート２１に保持シート２を接合するだけでもよいが、本体１の前後方向に弾性伸縮性を有する内面シート２１が前後方向へ伸長された状態にあるときに保持シート２を接合し、その後に伸長を解放して内面シート２１を収縮させれば、空隙３２における保持シート２と内面シート２１との厚み方向における離間寸法が比較的大きくなる。保持シート２を接合するときの内面シート２１は、幅方向に、または幅方向と前後方向とに１．１〜１．５倍伸長されていることが好ましい。
【００２４】
かかる構成のトレーニングパンツにおいて、内面シート２１には、６０〜１００重量％の疎水性熱可塑性合成繊維と、４０〜０重量％の親水性繊維とからなる坪量１５〜１００ｇ／ｍ２の不織布を使用することができる。合成繊維には、サイド・バイ・サイド型および／またはシース・アンド・コア型の複合繊維を使用し、親水性繊維には、レーヨン、アセテート等の繊維それ自身が親水性であるものの他に、親水化処理した疎水性の合成繊維を使用することができる。不織布には、合成繊維と親水性繊維との混合物からなるウエブを水流交絡法によって不織布化し、その後に熱処理して複合繊維を捲縮させることで得られる弾性伸縮性の不織布を使用することが好ましい。使用する繊維は、繊度が１〜５ｄのものであることが好ましい。このような内面シート２１は、柔軟な肌当接面を形成することができるばかりでなく、親水性繊維を含む場合には吸汗性のものとなる。
【００２５】
外面シート２２には、内面シート２１と同様な不織布を使用することができる。外面シート２２に内面シート２１ほどの吸汗性を必要としないときには、捲縮した複合繊維が１００重量％を占める弾性伸縮性の不織布を使用することもできる。
【００２６】
中間シート２３には、非透水性の熱可塑性合成樹脂シート、より好ましくは通気非透水性の熱可塑性合成樹脂シートを使用することができる。このシート２３は、内面シート２１および外面シート２２のいずれかと実質的に同形同大である場合と、湿潤保持シート２よりも大きく、内外面シート２１，２２のいずれよりも小さい場合とがある。
【００２７】
湿潤保持シート２には、レーヨン、アセテート等のそれ自身が親水性の繊維を８０〜１００重量％，熱可塑性合成繊維を２０〜０重量％含む不織布を使用することができる。かかる不織布は、３０分間親水したのちに乾燥したときの収縮率が２〜２０％の範囲にあることが好ましい。そのような収縮率を有する不織布は、洗濯の繰り返しで寸法が収縮し、ひだ山３１の存在が次第に顕著になる。
【００２８】
この発明に係るトレーニングパンツは、尿で汚れたのちに洗濯して再度使用することができるように、湿潤保持シート２には、レーヨン繊維等の親水性繊維が使用されている。このシート２は、表面が親水化処理してある疎水性繊維を使用した湿潤保持シートに比べ、洗濯による親水性の劣化がない。湿潤保持シート２が水流交絡法による不織布である場合には、洗濯による毛羽立ちが少ないという利点もある。本体１では、内外面シート２１，２２や中間シート２３に使用するシート材料が１〜２回から数回程度の洗濯に耐え得るような強度を有している。また、これらシートの接合手段には、熱溶着や耐水性接着剤による接着が採用されているから、洗濯によってこれらシート２１，２２，２３が簡単に剥離するということはない。
【００２９】
本体１については、洗濯の繰り返しに対する耐久性を高めておくことが好ましい。その対策の一つとして、パンツの側縁部や脚周り縁部、胴周り縁部等の縁部の少なくとも一部分において、互いに重なり合うシートどうしを間欠的に接合するときの接合面積割合を特に高くして、剥離強度を向上させる一方、そのように処置した縁部よりも内側では、接合面積割合を相対的に低くし、接合することによって重なり合うシートが高剛性化することを抑えることが好ましい。対策の他の一つとして、胴周り弾性部材１６や脚周り弾性部材１７Ａ，１７Ｂを本体１に間欠的に接合するときの弾性部材１６，１７Ａ，１７Ｂにおける接合面積割合を、各部材の周り方向において部分的に高くすることが好ましい。脚周り弾性部材１７Ａ，１７Ｂの場合には、脚周り開口１２の頂部近傍や股下域８において部分的に特に高くし、それら部分どうしの間では部材の伸縮性を妨げることがないように接合面積割合を相対的に低くしておくことが好ましい。弾性部材１７Ａ，１７Ｂが股下域８で交差しているときには、股下域８のうちその交差部位近傍で接合面積割合を高くしておくことが好ましい。
【００３０】
湿潤保持シート２は、それ自身が尿を吸収し、保持することができることに加え、内面シート２１から浮き上がっているひだ山３１どうしの間に形成される谷間の部位３５や、ひだ山３１とその下に位置する内面シート２１との間の空隙３２でも尿を保持し、着用者に不快感を与えることができる。特にひだ山３１で周囲が囲まれているときの谷間の部位３５に保持されている尿は、湿潤保持シート２の外へ容易に流れ出ることがなく、着用者に強い不快感を与えることができる。
【００３１】
パンツの股下域８を横断している弾性部材の一部分１８Ａ，１８Ｂは、股下域８が垂れ下がり、湿潤保持シート２が着用者の会陰部とその周辺を含む股部から離間してしまうことを防ぐのに効果的である。その部分１８Ａ，１８Ｂの作用によって、湿潤保持シート２は股部への密着状態を容易に維持することができ、尿量が比較的少ない場合でも強い不快感を与え、トレーニング効果を高めることが可能になる。部分１８Ａ，１８Ｂの効果は、該部分１８Ａ，１８Ｂが伸長状態にあるときに一層高くなる。
【００３２】
このように構成されているトレーニングパンツは、トレーニング期間の後期にあって、漏らす尿量が比較的少ない幼児が使用するのに特に適している。
【００３３】
洗濯後のパンツを乾燥するときには、湿潤保持シート２が内面シート２１から浮き上がっていることによって、保持シート２と内面シート２１との間の通風が可能となる。特に、保持シート２では、内面シート２１に対する非接合域が前後方向よりも寸法が短い幅方向の全体に延びていて、空気がそこを簡単に通り抜けることができるから、重なり合うシート２，２１の乾燥が速やかである。
【００３４】
【発明の効果】
この発明に係るトレーニングパンツは、パンツを構成するシート材料どうしを耐水性の接合手段を介して接合することに加え、湿潤保持シートの主体をなす繊維は、それ自身が親水性であるから、洗濯して再使用することが可能である。
【００３５】
湿潤保持シートは、前後方向よりも比較的寸法が短い幅方向の全体に延在する非接合部位を有するから、洗濯後のパンツを乾燥するときに、湿潤保持シートと内面シートとの間の通風が容易で、乾燥が速やかになる。
【００３６】
湿潤保持シートが吸水乾燥後に２〜２０％収縮するものであるときには、洗濯を繰り返すほど、ひだ山が顕著になって肌への当接が容易となり、尿を漏らしたときの不快感が強くなる。また、ひだ山と内面シートとの間の離間寸法が大きくなり、トレーニングパンツを乾燥するときの通風性が向上する。
【００３７】
このトレーニングパンツで、弾性部材が股下域を横断している場合には、その弾性部材が股下域の垂れ下がりを抑え、湿潤保持シートが着用者の股部から離間することを防止するから、尿量が比較的少ない場合でも確実にトレーニング効果を挙げることができる。
【図面の簡単な説明】
【図１】  トレーニングパンツの斜視図。
【図２】  図１のトレーニングパンツの前後胴周り域を分離し、扁平に伸展したときの部分破断平面図。
【図３】  図１のＩＩＩ−ＩＩＩ線に沿う切断面の部分図。
【図４】  図１のＩＶ−ＩＶ線に沿う切断面の部分図。
【符号の説明】
１      本体
２      湿潤保持シート
６      前胴周り域
７      後胴周り域
８      股下域
１１    胴周り開口
１２    脚周り開口
１７Ａ，１７Ｂ    脚周り弾性部材
２１    第１不織布（内面シート）
２２    第２不織布（外面シート）
２３    中間シート
【図１】
0003751143.tif 000002
【図２】
0003751143.tif 000003
【図３】
0003751143.tif 000004
【図４】
0003751143.tif 000005